【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
媒体に配置する画像の数を定めた指定レイアウトを設定する指定レイアウト設定部と、
前記媒体に配置する前記画像の大きさを、前記指定レイアウトにおける前記画像の大きさ以上とした試しレイアウトを設定する試しレイアウト設定部と、
前記指定レイアウトが設定され、且つ試し印刷が設定された場合、前記試しレイアウトに従った試し印刷ジョブを生成し送信する情報通信部と
を具えることを特徴とする情報処理装置。
【請求項２】
前記指定レイアウト設定部は、ユーザに指定された条件に従って所定の印刷装置により前記媒体に前記画像を印刷させる指定印刷において、前記指定レイアウトを前記ユーザに設定させ、
前記試しレイアウト設定部は、前記指定印刷を行う前に前記画像を前記媒体に印刷する試し印刷において前記試しレイアウトを設定し、
前記情報通信部は、前記試しレイアウトに従った試し印刷ジョブ及び前記指定レイアウトに従った指定印刷ジョブを生成して前記印刷装置へ送信することにより、前記試し印刷ジョブに基づき、前記試しレイアウトに従った数の前記画像を前記媒体に印刷させ、前記ユーザから前記指定印刷を行う指示を受け付けた場合に、前記指定印刷ジョブに基づき、前記指定レイアウトに従った数の前記画像を前記媒体に印刷させる
ことを特徴とする請求項１に記載の情報処理装置。
【請求項３】
媒体に画像を印刷する印刷装置と、情報処理装置とを有する印刷システムであって、
前記情報処理装置は、
前記媒体に配置する前記画像の数を定めた指定レイアウトを設定する指定レイアウト設定部と、
前記媒体に配置する前記画像の大きさを、前記指定レイアウトにおける前記画像の大きさ以上とした試しレイアウトを設定する試しレイアウト設定部と、
前記画像を表す印刷データと、前記試しレイアウトの指示と、試し印刷の指示とを前記印刷装置へ送信する情報通信部と
を具え、
前記印刷装置は、
前記媒体に前記画像を印刷する印刷部と、
前記情報処理装置から前記印刷データ、前記試しレイアウトの指示及び前記試し印刷の指示を受信する印刷通信部と、
前記印刷データ、前記試しレイアウトの指示、及び前記試し印刷の指示を基に、試しレイアウトに従った試し印刷ジョブを生成する印刷ジョブ生成部と、
前記試し印刷ジョブに基づき、前記試しレイアウトに従った数及び大きさの前記画像を前記印刷部により前記媒体に印刷させる試し印刷処理部と
を具えることを特徴とする印刷システム。
【請求項４】
前記印刷装置は、ユーザに指定された条件に従って前記媒体に前記画像を印刷する指定印刷を行い、
前記情報処理装置は、前記ユーザに前記条件を指定させ、
前記指定レイアウト設定部は、前記指定印刷において前記媒体に配置する前記画像の数を定めた前記指定レイアウトを前記ユーザに設定させ、
前記試しレイアウト設定部は、前記指定印刷を行う前に前記画像を前記媒体に印刷する試し印刷において前記試しレイアウトを設定し、
前記情報通信部は、前記印刷データ、前記試しレイアウトの指示、前記試し印刷の指示に加えて前記指定レイアウトの指示を前記印刷装置へ送信し、
前記印刷通信部は、前記情報処理装置から前記印刷データ、前記試しレイアウトの指示及び前記試し印刷の指示に加えて前記指定レイアウトの指示を受信し、
前記印刷ジョブ生成部は、前記印刷データ、前記試しレイアウトの指示及び前記試し印刷の指示に加えて前記指定レイアウトの指示を基に、前記試し印刷ジョブに加えて、前記指定レイアウトに従った指定印刷ジョブを生成し、
前記情報処理装置は、前記試し印刷処理部に加えて、前記ユーザから前記指定印刷を行う指示を受け付けた場合に、前記指定印刷ジョブに基づき、前記指定レイアウトに従った数及び大きさの前記画像を前記印刷部により前記媒体に印刷させる指定印刷処理部をさらに具える
ことを特徴とする請求項３に記載の印刷システム。
【請求項５】
前記試しレイアウト設定部は、前記試しレイアウトにおいて前記媒体に配置する前記画像の数を１とする
ことを特徴とする請求項３又は請求項４に記載の印刷システム。
【請求項６】
前記試しレイアウト設定部は、前記試しレイアウトにおいて前記媒体に配置する前記画像の数を前記ユーザに設定させる
ことを特徴とする請求項４に記載の印刷システム。
【請求項７】
前記試しレイアウト設定部は、前記指定レイアウトにおける前記画像の数が所定の閾値以上である場合に、前記試しレイアウトにおける前記画像の数を前記指定レイアウトにおける前記画像の数よりも少なく設定し、それ以外の場合に前記試しレイアウトを前記指定レイアウトと同等とする
ことを特徴とする請求項４に記載の印刷システム。
【請求項８】
前記印刷装置は、
情報を表示する表示部と、
前記ユーザの操作を受け付ける操作部と
をさらに具え、
前記指定印刷処理部は、前記ユーザに前記指定印刷を行うか否かを問い合わせる確認画面を前記表示部に表示させ、前記操作部により当該指定印刷を行う操作指示を受け付けた場合に、前記指定印刷ジョブに基づき、前記指定レイアウトに従った数の前記画像を前記印刷部により前記媒体に印刷させる
ことを特徴とする請求項４に記載の印刷システム。
【請求項９】
前記試しレイアウト設定部は、前記指定レイアウトにおいて設定された前記画像の数に応じて、前記試しレイアウトにおける前記媒体の数の初期値を設定する
ことを特徴とする請求項４に記載の印刷システム。
【請求項１０】
前記試しレイアウト設定部は、前記指定レイアウトにおいて設定された前記画像の数が所定の閾値未満であった場合には、前記試しレイアウトにおける前記媒体の数の初期値を、前記指定レイアウトにおける前記画像の数と同数とする
ことを特徴とする請求項９に記載の印刷システム。
【手続補正２】
【補正対象書類名】明細書
【補正対象項目名】０００７
【補正方法】変更
【補正の内容】
【０００７】
かかる課題を解決するため本発明の情報処理装置においては、媒体に配置する画像の数を定めた指定レイアウトを設定する指定レイアウト設定部と、媒体に配置する画像の大きさを、指定レイアウトにおける画像の大きさ以上とした試しレイアウトを設定する試しレイアウト設定部と、指定レイアウトが設定され、且つ試し印刷が設定された場合、試しレイアウトに従った試し印刷ジョブを生成し送信する情報通信部とを設けるようにした。
【手続補正３】
【補正対象書類名】明細書
【補正対象項目名】０００８
【補正方法】変更
【補正の内容】
【０００８】
また本発明の印刷システムにおいては、媒体に画像を印刷する印刷装置と、情報処理装置とを有する印刷システムであって、情報処理装置には、媒体に配置する画像の数及び大きさを定めた指定レイアウトを設定する指定レイアウト設定部と、媒体に配置する画像の大きさを、指定レイアウトにおける画像の大きさ以上とした試しレイアウトを設定する試しレイアウト設定部と、画像を表す印刷データと、試しレイアウトの指示と、試し印刷の指示とを印刷装置へ送信する情報通信部とを設け、印刷装置には、媒体に画像を印刷する印刷部と、情報処理装置から印刷データ、試しレイアウトの指示及び試し印刷の指示を受信する印刷通信部と、印刷データ、試しレイアウトの指示、及び試し印刷の指示を基に、試しレイアウトに従った試し印刷ジョブを生成する印刷ジョブ生成部と、試し印刷ジョブに基づき、試しレイアウトに従った数及び大きさの画像を印刷部により媒体に印刷させる試し印刷処理部とを設けるようにした。
【手続補正４】
【補正対象書類名】明細書
【補正対象項目名】０００９
【補正方法】変更
【補正の内容】
【０００９】
本発明は、試し印刷において試しレイアウトに従って媒体に画像を印刷することにより、指定レイアウトよりも大きな画像が表され細部まで見やすい状態として、ユーザに目視確認させることができる。